(57)【特許請求の範囲】
【請求項１】
上面に取出開口を有する容器本体と、前記容器本体の前記上面にヒンジ部を介して取り付けられ、前記取出開口を開閉可能な上蓋とを備えるウェットティッシュ収納容器であって、
前記容器本体が、前記取出開口の少なくとも一部を覆うシール部材を備え、
前記シール部材が、前記取出開口を環状に囲む隆起部を有し、
前記上蓋の前記容器本体に対向する面に、前記取出開口を環状に囲むとともに前記隆起部に接触可能な突起部が配置され、
前記隆起部の内部が中空であり、
前記シール部材の前記容器本体に対向する面に、前記容器本体に接触する密着領域と、前記容器本体から離間する導通領域とが配置され、
前記密着領域が、前記隆起部と前記取出開口との間に位置して前記取出開口を環状に囲み、
前記導通領域が、中空の前記隆起部内に位置する空洞部と、前記シール部材の外周縁との間に延在して、前記空洞部を外気に連通させることを特徴とする、前記ウェットティッシュ収納容器。
【請求項２】
前記シール部材が、前記隆起部の上部に前記突起部が接触する被接触面を有し、前記被接触面の形状が平坦面及び凹面のいずれか一方である、請求項１に記載のウェットティッシュ収納容器。
【請求項３】
前記隆起部の前記被接触面の幅が、前記隆起部に接触する前記突起部の先端部分の幅よりも大きい、請求項１または２に記載のウェットティッシュ収納容器。
【請求項４】
前記シール部材の前記容器本体に対向する面の裏側に開口補強部材が固定され、
前記開口補強部材は、前記隆起部と前記取出開口との間に配置され、
前記シール部材の前記密着領域が、前記容器本体と前記開口補強部材との間に挟持される、請求項１から３のいずれか１項に記載のウェットティッシュ収納容器。
【発明の詳細な説明】
【技術分野】
【０００１】
本願は、ウェットティッシュの収納容器に関する。
【背景技術】
【０００２】
従来、ウェットティッシュの収納容器は公知である。例えば特許文献１には、上面に開口部が形成された容器本体と、開口部を開閉自在に塞ぐ蓋体とを備えるウェットティッシュ収納容器であって、開口部を被覆するようにしてシート状の気密部材が配され、気密部材にウェットティッシュの取出口と、取出口の周囲を囲むように配された凸堤部とが形成され、蓋体の内面に気密部材の取出口を囲む環状の起立壁が形成され、閉時の蓋体の起立壁の先端部が凸堤部の内側稜線または内側傾斜面と外側稜線または外側傾斜面とに接するウェットティッシュ収納容器が開示されている。
【先行技術文献】
【特許文献】
【０００３】
【特許文献１】特許第２５２３０７７６号公報
【発明の概要】
【発明が解決しようとする課題】
【０００４】
特許文献１には、蓋体に形成された起立壁の先端部が、容器本体に配された凸堤部の内側稜線または内側傾斜面と、外側稜線または外側傾斜面と、に接する簡易な構造で確実に気密性が確保できるようになることが開示されている。しかし、一般にウェットティッシュ収容容器を構成する容器本体や気密部材等の部品は、射出成型等により所定の寸法公差内に入るようにして製造される。このため、各部品を組み合わせてウェットティッシュ収容容器を組み上げたとき、環状の起立壁の位置と凸堤部の位置とが完全に一致することは稀であり、環状の起立壁の位置に対する凸堤部の位置がズレてしまうことの方が多い。このような環状の起立壁と凸堤部との位置ずれが生じると、起立壁と凸堤部との間に隙間が空き、ウェットティッシュ収容容器の気密性が損なわれることになる。
【０００５】
本発明は、気密性が損なわれることのないウェットティッシュ収納容器の提供を課題とする。
【課題を解決するための手段】
【０００６】
本発明は、上面に取出開口を有する容器本体と、容器本体の上面にヒンジ部を介して取り付けられ、取出開口を開閉可能な上蓋とを備えるウェットティッシュ収納容器に関する。
【０００７】
本発明の収納容器は、容器本体が、取出開口の少なくとも一部を覆うシール部材を備え、シール部材が、取出開口を環状に囲む隆起部を有し、上蓋の容器本体に対向する面に、取出開口を環状に囲むとともに隆起部に接触可能な突起部が配置され、隆起部の内部が中空であることを特徴とする。本発明の収納容器では、シール部材に設けられた隆起部の内部が中空なので、上蓋に形成された突起部が隆起部に接触したとき、突起部の接触位置にかかわらず隆起部が容易に変形して、ウェットティッシュ収納容器の気密性が確保される。
【０００８】
請求項２に係る発明では、シール部材の容器本体に対向する面に、容器本体に接触する密着領域と、容器本体から離間する導通領域とが配置され、密着領域が隆起部と取出開口との間に位置して取出開口を環状に囲み、導通領域が、中空の隆起部内に位置する空洞部とシール部材の外周縁との間に延在して、空洞部を外気に連通させる。このように隆起部内の空洞部が外気に連通していることにより、上蓋の突起部が隆起部に接触したときに隆起部内の空洞部から空気が外気に抜け出すので、隆起部がより一層容易に変形して、ウェットティッシュ収納容器の気密性が確保される。なお、本願で言う外気には、上蓋を閉じたときに容器本体と上蓋とで囲まれるものの、ヒンジ部などにある隙間を通じてウェットティッシュ収納容器の外部に連通する空間も含まれる。
請求項３に係る発明では、シール部材が、隆起部の上部に突起部が接触する被接触面を有し、被接触面の形状が平坦面及び凹面のいずれか一方である。このように被接触面の形状が平坦面又は凹面であることにより、突起部を被接触面に確実に接触させることができる。
請求項４に係る発明では、隆起部の被接触面の幅が、隆起部に接触する突起部の先端部分の幅よりも大きい。このように、隆起部の被接触面の幅が隆起部に接触する突起部の先端部分の幅よりも大きいことにより、隆起部に対する突起部の位置が所定の位置からずれたときでも、隆起部に突起部を確実に接触させることができる。
請求項５に係る発明では、シール部材の容器本体に対向する面の裏側に開口補強部材が固定され、開口補強部材は隆起部と取出開口との間に配置され、シール部材の密着領域が、容器本体と開口補強部材との間に挟持される。このようにシール部材の密着領域を容器本体と開口補強部材との間に挟持させることにより、シール部材の密着領域を確実に容器本体に密着させて、ウェットティッシュ収納容器の気密性を確保することができる。
【発明の効果】
【０００９】
本発明により、気密性が損なわれることのないウェットティッシュ収納容器が提供される。
【図面の簡単な説明】
【００１０】
図面は、本発明の特定の実施の形態を示し、発明の不可欠な構成ばかりでなく、選択的及び好ましい実施の形態を含む。
【図１】本発明に係るウェットティッシュ収納容器の斜視図。
【図２】図１のＩＩ−ＩＩ線断面図。
【図３】図１のＩＩＩ−ＩＩＩ線断面図。
【図４】上蓋を外した収納容器の平面図。
【図５】図４のＶ−Ｖ線断面図。
【図６】プッシュロック・オープン機構の動作の説明図。
【発明を実施するための形態】
【００１１】
下記の実施の形態は添付の図面に示すウェットティッシュ収納容器（以下、収納容器と呼ぶ）に関し、発明の不可欠な構成ばかりではなく、選択的及び好ましい構成を含む。以下、添付の図面を参照して、本発明の収納容器について説明する。
【００１２】
図１〜図３を参照して、収納容器１は、上面１１に取出開口１３を有する容器本体１５と、容器本体１５の上面１１にヒンジ部５１を介して取り付けられ、取出開口１３を開閉可能な上蓋１２と、容器本体１５の底部を塞ぐ底蓋５２とを備える。本実施形態の容器本体１５は、上面１１から窪むとともに底面１９が平坦になっている上面凹部１８を有し、取出開口１３は、上面凹部１８に形成されている。上蓋１２を閉じたとき、上面凹部１８は上蓋１２で覆われる。また、上蓋１２において取出開口１３を挟んでヒンジ部５１と対向する上蓋１２の先端領域には、上蓋１２を押すことで上蓋１２を容器本体１５に対し係合離脱可能なプッシュロック・オープン機構３１が配置されている。容器本体１５と上蓋１２との間のヒンジ部５１近傍には、上蓋１２を開く方向に付勢する弾性部材５３が配置されている。ウェットティッシュ２は、容器本体１５と底蓋５２とで形成される収納空間内に収納され、取出開口１３から取り出される。なお、図３では開放された上蓋１２の図示の一部を省略している。
【００１３】
図４，５を参照して、容器本体１５はさらに、取出開口１３の少なくとも一部を覆うシール部材２１を備える。シール部材２１は、上面凹部１８の底面１９に取り付けられる。シール部材２１はシリコーンゴム及び熱可塑性エラストマーなどの弾性材料で形成される柔軟な部材である。シール部材２１は外周縁２６と、外周縁２６に隣接する導通領域２４と、外周縁２６及び導通領域２４の内側に位置する隆起部２２と、隆起部２２の内側に位置する密着領域２３と、密着領域２３の内側に位置する空隙部２８とを備える。空隙部２８は取出開口１３に重なる位置に配置され、ウェットティッシュ２は空隙部２８を通して一枚ずつ取り出される。シール部材２１の隆起部２２及び密着領域２３は、収納容器１の平面視において取出開口１３を環状に囲む領域である（図４参照）。本実施形態では、導通領域２４は隆起部２２の外側に位置して隆起部２２を環状且つ切れ目なく囲む領域であるが、後述するように、外周縁２６に沿って間隔をおいて配置することもできる。なお、図４は上蓋１２を取り外した状態における収納容器１の平面図である。
【００１４】
シール部材２１の隆起部２２の内部は中空になっている。より詳しくは、隆起部２２の内部に空洞部２５が形成されており、空洞部２５の一部がシール部材２１において容器本体１５の上面凹部１８に対向する面に露出して、導通領域２４に連通している。一方、上蓋１２において容器本体１５に対向する面には、上蓋１２を閉じたとき隆起部２２に接触するとともに、平面視において取出開口１３を環状に囲む突起部１７が立設されている。このようにシール部材２１の隆起部２２の内部を中空にすることにより、上蓋１２に形成された突起部１７が隆起部２２に接触したとき、突起部１７の接触位置にかかわらず隆起部２２が押し潰されるようにして容易に変形するので、突起部１７が隆起部２２に隙間なく密着し、収納容器１の気密性を確保することができる。
【００１５】
シール部材２１において容器本体１５の上面凹部１８に対向する面には、上面凹部１８の底面１９に接触可能な密着領域２３と、上面凹部１８の底面１９から離間する導通領域２４とが配置されている。密着領域２３は、シール部材２１から底面１９に向けて隆起するとともに、収納容器１の平面視において取出開口１３を環状に囲む領域である。導通領域２４では、シール部材２１と上面凹部１８の底面１９との間に隙間が空いている。本実施形態では、後述する外周補強部材６５にシール部材２１を固定することにより、シール部材２１の隆起部２２と外周縁２６との間を、上面凹部１８の底面１９から離間させ、隙間が空くようにしている。導通領域２４は、隆起部２２内に位置する空洞部２５と、シール部材２１の外周縁２６との間に延在して、空洞部２５を外気に連通させる。このように隆起部２２内の空洞部２５を外気に連通させることにより、上蓋１２の突起部１７が隆起部２２に接触したときに隆起部２２内の空洞部２５から空気が外気に容易に抜け出すので、隆起部２２がより変形し易くなる結果、突起部１７が隆起部２２にさらに緊密に密着し、収納容器１の気密性が向上する。また、上蓋１２を閉じるとき、突起部１７が隆起部２２に接触し空洞部２５内の空気を圧縮することにより、上蓋１２が隆起部２２に押し返されて上蓋１２が閉じ難くなるおそれがある。しかし、導通領域２４を設ければ、空洞部２５内の空気の圧縮は生じないので、上蓋１２が閉じ難くなることを防止できる。
【００１６】
本実施形態の導通領域２４は、シール部材２１の外周縁２６と、隆起部２２内の空洞部２５との間の全領域に配置されている。しかし、導通領域２４は、隆起部２２内の空洞部２５と外周縁２６とを連通していれば足りる。例えば、導通領域２４を、空洞部２５と外周縁２６との間に延在する複数の帯状の領域とし、複数の帯状の間の領域では、シール部材２１と、容器本体１５の上面凹部１８の底面１９とが接触する構造にすることもできる。また、隆起部２２をシール部材２１の外周縁２６に沿って配置し、さらに外周縁２６に位置する隆起部２２の下端縁部分を一部又は全部切り欠くことにより、隆起部２２と上面凹部１８の底面１９との間に隙間を設け、この隙間を導通領域２４とすることもできる。
【００１７】
シール部材２１の隆起部２２の上部は、上蓋１２に形成された突起部１７が接触する被接触面２７を備える。被接触面２７の形状は、平坦面及び凹面のいずれか一方であることが好ましい。被接触面２７の形状を平坦面又は凹面にすることにより、突起部１７の接触位置にかかわらず、突起部１７を被接触面２７により確実に接触させることができる。また、被接触面２７の形状を平坦面にした場合、平坦面の両端に壁状の突起を立設すれば、万が一突起部１７の接触位置が大きくズレたときでも、突起部１７が平坦面からズレ落ちることを防止できる。また、隆起部２２の被接触面２７の幅を、隆起部２２に接触する突起部１７の先端部分１７ａの幅よりも大きくすることができる（図２参照）。これにより、突起部１７を隆起部２２の被接触面２７に確実に接触させることができる。但し、突起部１７の先端部分１７ａの形状を平坦面にし、さらに突起部１７の先端部分１７ａの幅を隆起部２２の被接触面２７の幅よりも大きくして、突起部１７が被接触面２７を覆うようにして接触させる場合も、本発明の範囲に含まれる。
【００１８】
図２，３に示すように、本実施形態の収納容器１は、シール部材２１において、容器本体１５の上面凹部１８の底面１９に対向する面の裏側に固定される開口補強部材６１を備える。開口補強部材６１は、収納容器１の平面視において隆起部２２と取出開口１３との間に配置されており、シール部材２１の密着領域２３が、容器本体１５の上面凹部１８の底面１９と、開口補強部材６１との間に挟持される。開口補強部材６１は、シール部材２１より弾性変形しにくい材料で形成され、例えばポリプロピレン、ポリスチレン、ＡＢＳ樹脂などの熱可塑性樹脂で形成することができる。このように、開口補強部材６１がシール部材２１より弾性変形しにくいことにより、シール部材２１の密着領域２３が確実に上面凹部１８の底面１９に密着する。ここで、前述のようにシール部材２１の隆起部２２と外周縁２６との間に、隆起部２２内の空洞部２５を外気に連通させる導通領域２４が配置されている。本実施形態のように、隆起部２２と取出開口１３との間に密着領域２３を配置し、この密着領域２３を開口補強部材６１により上面凹部１８の底面１９に密着させれば、取出開口１３が隆起部２２内の空洞部２５から隔離される。したがって、取出開口１３が、隆起部２２内の空洞部２５及び導通領域２４を通じて外気に連通することが防止されるので、収納容器１の気密性が確保される（図２，３参照）。
【００１９】
図２〜図４に示す実施形態では、容器本体１５においてシール部材２１の密着領域２３に対向する上面凹部１８の底面１９に、収納容器１の平面視において取出開口１３を環状に囲む凸状部１６が立設されている。また、シール部材２１の密着領域２３は、シール部材２１から上面凹部１８の底面１９に向けて延び出す壁状の突出部２９の先端領域である。シール部材２１に形成された突出部２９の基端部分２９ａは、開口補強部材６１と重なる位置に配置されており、密着領域２３は、開口補強部材６１と、容器本体１５の上面凹部１８に立設された凸状部１６との間に挟まれている。本発明の実施形態は図示例に限定されず、取出開口１３が隆起部２２内の空洞部２５及び導通領域２４を通じて外気に連通することを防止可能であることを条件に、シール部材２１の密着領域２３の構造、及び容器本体１５においてシール部材２１の密着領域２３に対向する部分の構造を種々変更することができる。例えばシール部材２１の密着領域２３をシール部材から半球状に隆起する形状とし、容器本体１５において密着領域２３に対向する部分を平坦面にすることもできる。
【００２０】
開口補強部材６１は、開口面積が取出開口１３より大きく、取出開口１３を塞がない形状に形成された補助開口６２を備える。補助開口６２は、取出開口１３を塞がないようにして、取出開口１３に重なり合う。補助開口６２の内側には、シール部材２１が取出開口１３の少なくとも一部を覆うようにして延び出す。シール部材２１が取出開口１３に延び出す部分には、ウェットティッシュ２を取り出すための空隙部２８が配置されている。開口補強部材６１の外郭形状は特に限定されないが、シール部材２１の平面視において環状の隆起部２２に内接する形状にすることが好ましい。
【００２１】
本実施形態では、少なくともシール部材２１の隆起部２２から外周縁２６に至る領域に、外周補強部材６５が取り付けられている。外周補強部材６５は、開口補強部材６１と同一の材料で形成され、シール部材２１に固定されている。また、図３〜５に示すように、外周補強部材６５は、シール部材２１の外周縁２６から外側に延出する延出部６６を備える。延出部６６には、容器本体１５の上面凹部１８に立設された取付ピン１４を挿通するための取付孔６８が形成されている。取付ピン１４により外周補強部材６５をシール部材２１とともに容器本体１５の上面凹部１８に固定したとき、外周補強部材６５及びシール部材２１と、上面凹部１８の底面１９との間に隙間が空き、隆起部２２内の空洞部２５を外気に連通させる導通領域２４が形成される(図５参照)。
【００２２】
図３を参照して、本実施形態では、ヒンジ部５１近傍に位置する延出部６６は、弾性部材５３を固定するための手段に用いられ、さらに、収納容器１の平面視において上蓋１２の先端領域に位置する延出部６６は、後述するプッシュロック・オープン機構３１に含まれるロック具３２を摺動可能に保持するための手段として用いられている。しかし、本発明ではヒンジ部５１近傍に位置する延出部６６と、上蓋１２の先端領域に位置する延出部６６は必須ではない。例えば、ヒンジ部５１近傍に位置する延出部６６、及び上蓋１２の先端領域に位置する延出部６６を、外周補強部材６５とは別の部材に置き換えたり、省略したりすることもできる。
【００２３】
開口補強部材６１及び外周補強部材６５をシール部材２１に固定する手段として、接着が挙げられる。また、ダブルモールディング（二色成形とも呼ばれる）により開口補強部材６１及び外周補強部材６５とシール部材２１とを１つの金型内で成形する際に、熱可塑性樹脂から成る開口補強部材６１及び外周補強部材６５と、弾性材料から成るシール部材２１とを、溶着によりに互いに固定することもできる。
【００２４】
次に、図３と図６を参照して、本実施形態で用いているプッシュロック・オープン機構３１について説明する。但し、本発明ではプッシュロック・オープン機構３１は必須ではなく、例えば前記特許文献１に開示された係止機構部など、本願が属する技術分野で公知の上蓋１２の開閉機構を用いることもできる。
【００２５】
プッシュロック・オープン機構３１には、係止突起３４を備える係止具３３と、係止具３３の係止突起３４に対し係合及び離脱可能なロック具３２とが含まれる。図５に示すように、本実施形態では、係止具３３は、ヒンジ軸に直交する方向においてヒンジ部５１に対向する上蓋１２の先端領域の裏側に立設されている。また、ロック具３２は容器本体１５に配置されており、上蓋１２を閉じたとき、係止具３３の係止突起３４がロック具３２に進入する。ロック具３２は平板状の部材であり、容器本体１５においてヒンジ部５１に離間対向する位置に形成されたロック具収容室３５内に、ヒンジ軸に平行な方向に摺動可能に収納されている。ロック具収容室３５は、上蓋１２に立設された係止具３３の係止突起３４が進入可能な透孔３６を備える。
【００２６】
図６を参照して、ロック具３２の表面には、係止突起３４が進入及び退出可能な出入口部４１と、係止突起３４が係合可能な係合部４２と、係止突起３４を出入口部４１から係合部４２まで案内する進入溝４３と、係止突起３４を係合部４２から出入口部４１まで案内する退出溝４４が形成されている。進入溝４３と退出溝４４はいずれも、係止突起３４を案内する方向が反転する方向反転部４５ａ，４５ｂを有する。ロック具３２において、係合部４２は出入口部４１と方向反転部４５ａ，４５ｂとの間に位置する。また、ロック具３２に形成された出入口部４１は、ロック具収容室３５の透孔３６に連通する。
【００２７】
進入溝４３の深さは出入口部４１から方向反転部４５ａに向かうに従い浅くなり、方向反転部４５ａを過ぎた後急に深くなる。係合部４２は、進入溝４３よりもさらに深く形成されている。また、係合部４２と退出溝４４との境界では、退出溝４４の方が深くなっている。退出溝４４の深さは係合部４２から方向反転部４５ｂを経て出入口部４１に向かうに従い次第に浅くなる。出入口部４１では、進入溝４３の深さの方が、退出溝４４よりも深くなっている。前述のように上蓋１２は開方向に付勢されているので、進入溝４３に進入した係止突起３４は出入口部４１に向け付勢されている。したがって、上蓋１２を押して閉じる際、上蓋１２に形成された係止突起３４をロック具３２の進入溝４３の方向反転部４５ａまで進入させれば、出入口部４１に向け付勢されている係止突起３４が係合部４２に落ち込んで静止する。これにより上蓋１２が閉止される。閉止された上蓋１２を再度押すと、係止突起３４は係合部４２から脱離し、方向反転部４５ｂを経て出入口部４１に至り、さらにロック具収容室３５の透孔３６を通過することにより、上蓋１２が開放される。
【００２８】
以上、本発明について実施形態に基づき説明したが、本発明はこれらに限定されず、種々変更して実施することができる。例えば、空隙部２８の形状は図示例に限定されず、十字形の切れ込み、円形または楕円形の開孔など任意の形状にすることができる。本実施形態の容器本体１５は、上面１１から窪む上面凹部１８が形成されているが、上蓋１２が容器本体１５の上面１１の全面を覆う構造にして、上面凹部１８を省略することもできる。また、シール部材２１を平面上に配置する場合を例に説明したが、シール部材２１の気密性が損なわれない限り、シール部材２１をなだらかな曲面上に配置することもできる。本発明の収納容器１を製造するための材料は特に限定されず、熱可塑性樹脂、金属、熱可塑性エラストマー等の公知の材料から適宜選択することができる。
【符号の説明】
【００２９】
１      ウェットティッシュ収納容器
１１    上面
１２    上蓋
１３    取出開口
１５    容器本体
１７    突起部
１７ａ  突起部の先端部分
２１    シール部材
２２    隆起部
２３    密着領域
２４    導通領域
２５    空洞部
２６    外周縁
２７    被接触面
５１    ヒンジ部
６１    開口補強部材
【要約】
【課題】気密性が損なわれることのないウェットティッシュ収納容器の提供。
【解決手段】上面１１に取出開口１３を有する容器本体１５と、容器本体の上面にヒンジ部５１を介して取り付けられ、取出開口を開閉可能な上蓋１２とを備えるウェットティッシュ収納容器１であって、容器本体が、取出開口の少なくとも一部を覆うシール部材２１を備え、シール部材が、取出開口を環状に囲む隆起部２２を有し、上蓋の容器本体に対向する面に、取出開口を環状に囲むとともに隆起部に接触可能な突起部１７が配置され、隆起部の内部が中空である。
【選択図】図２【図１】
0005830193.tif 000002
【図２】
0005830193.tif 000003
【図３】
0005830193.tif 000004
【図４】
0005830193.tif 000005
【図５】
0005830193.tif 000006
【図６】
0005830193.tif 000007